(57)【特許請求の範囲】
【請求項１】
構造物躯体の突堤状部分の端縁部を覆う構造物躯体の覆い材において、前記端縁部の端面に沿って配置される端面覆い部材と、前記端縁部の一方の側面に沿って配置される第一側面覆い部材と、前記端縁部の他方の側面に沿って配置される第二側面覆い部材と、前記端面覆い部材と前記第一側面覆い部材とを接続しかつ前記端面覆い部材と前記第二側面覆い部材とを接続する接続部材とを備え、
この接続部材は、前記第一側面覆い部材側の前面部と、前記第二側面覆い部材側の後面部と、これらの前面部と後面部との間の中間部とを有する下向きの略コの字断面形状となっているとともに、前記前面部および前記後面部は前記中間部に対してそれぞれ鈍角をなすように斜めに形成され、前記第一側面覆い部材および前記第二側面覆い部材の各上部の内側には、前記前面部、前記後面部が当接される斜面が形成されている突出部が形成され、
前記接続部材と前記第一側面覆い部材および前記第二側面覆い部材とは、前記前面部、前記後面部が前記突出部の前記斜面に連結用止着具で連結されることによって固定されていることを特徴とする構造物躯体の覆い材。
【請求項２】
請求項１に記載の構造物躯体の覆い材において、前記接続部材の前記中間部の上面は前記端面覆い部材に当接していることを特徴とする構造物躯体の覆い材。
【請求項３】
請求項２に記載の構造物躯体の覆い材において、前記端面覆い部材が、前記接続部材の前記中間部の上面と前記第一側面覆い部材の前記突出部の上面と前記第二側面覆い部材の前記突出部の上面とに接着剤で固定されていることを特徴とする構造物躯体の覆い材。
【請求項４】
請求項３に記載の構造物躯体の覆い材において、前記端面覆い部材が前記接着剤で固定されている前記接続部材の前記中間部の前記上面と前記第一側面覆い部材の前記突出部の前記上面、および前記接続部材の前記中間部の前記上面と前記第二側面覆い部材の前記突出部の前記上面は、それぞれ連続状態となっていることを特徴とする構造物躯体の覆い材。
【請求項５】
請求項１〜４のいずれかに記載の構造物躯体の覆い材において、前記連結用止着具はねじ込み式であり、このねじ込み式連結用止着具が、前記接続具の前記前面部、前記後面部と前記第一側面覆い部材および前記第二側面覆い部材の前記突出部の前記斜面とに形成されていた貫通孔に挿入されることにより、前記接続部材と前記第一側面覆い部材および前記第二側面覆い部材とが固定されていることを特徴とする構造物躯体の覆い材。
【請求項６】
請求項１〜５のいずれかに記載の構造物躯体の覆い材において、前記構造物躯体の突堤状部分の端縁部は、その長手方向について湾曲し、前記端面覆い部材と前記第一側面覆い部材と前記第二側面覆い部材とは、それぞれ前記端縁部の湾曲形状に従って湾曲していることを特徴とする構造物躯体の覆い材。
【請求項７】
請求項１〜６のいずれかに記載の構造物躯体の覆い材において、前記構造物躯体の突堤状部分の端縁部には、手摺りが取り付けられることを特徴とする構造物躯体の覆い材。
【発明の詳細な説明】
【０００１】
【発明の属する技術分野】
本発明は、構造物躯体の突堤状部分の端縁部を覆う構造物躯体の覆い材に係り、例えばバルコニやベランダの腰壁の端縁部に設けられる手摺り用の躯体笠木などに利用できる。
【０００２】
【背景技術】
従来より、建物等の各種構造物の躯体の突堤状部分、例えば、建物から張り出して設けられるバルコニやベランダの腰壁等には、歩行補助や落下防止等を目的とした手摺りが設けられている。
【０００３】
一般に、このような手摺りは、構造物躯体の突堤状部分の端縁部に沿って配置される手摺り笠木と、これを支持する支柱とを備えて構成されている。そして、手摺りの構造物躯体への取り付け、特に屋外に設けられる手摺りの構造物躯体への取り付けは、通常、構造物躯体の突堤状部分の端縁部に、これを覆う覆い材としての水勾配を有する防水用の躯体笠木を設けておき、この躯体笠木に支柱を固定することにより行われている。
【０００４】
ところで、バルコニやベランダの腰壁等の構造物躯体の突堤状部分には、直線的な部分のみならず、湾曲した部分もある。例えば、コーナー部分をいわゆるＲ付きの構造とした場合、あるいは意匠的効果を持たせるためにバルコニやベランダの腰壁を全体的に湾曲させた場合等である。
【０００５】
そして、このような湾曲した部分に設けられる躯体笠木は、構造物躯体の突堤状部分の端縁部の湾曲形状に従って湾曲したものとしなければならないため、直線的な部分に設けられる躯体笠木とは異なり、押出成形等による一体成形品とすることが困難である。従って、湾曲した部分には、分割タイプの躯体笠木が用いられていた。
【０００６】
図８には、このような従来の分割タイプの躯体笠木９０の断面図が示されている。図８において、躯体笠木９０は、バルコニの腰壁９１の端縁部９２の上面９２Ａに沿って配置される天板９３と、端縁部９２の前面（建物と反対側の面であり、図中左側の側面）９２Ｂに沿って配置される前面用側板９４と、端縁部９２の後面（建物側の面であり、図中右側の側面）９２Ｃに沿って配置される後面用側板９５とを備えた三分割タイプのものである。
【０００７】
天板９３と前面用側板９４とは、前面用アングル材９６を用いて溶接や接着剤等で固定されることにより接続され、一方、天板９３と後面用側板９５とは、後面用アングル材９７を用いて同じく溶接や接着剤等で固定されることにより接続されている。また、天板９３は、図中左側から右側に向かって、すなわち建物側に向かって流れる水勾配を有しており、この天板９３の上側には、手摺り９８が取り付けられるようになっている。
【０００８】
このような躯体笠木９０は、分割タイプとなっているので、バルコニの腰壁９１の端縁部９２がその長手方向（紙面直交方向）について湾曲している場合であっても、対応することが可能である。
【０００９】
【発明が解決しようとする課題】
しかしながら、前述した図８の従来の分割タイプの躯体笠木９０では、天板９３と前面用側板９４との接続、および天板９３と後面用側板９５との接続が、別部材である前面用アングル材９６および後面用アングル材９７によってそれぞれ行われていたので、次のような不都合が生じていた。
【００１０】
すなわち、天板９３、前面用側板９４、および後面用側板９５の三つの部材の接続が、前面用アングル材９６および後面用アングル材９７の二つの部材によって行われていたので、躯体笠木９０の幅寸法Ｗが安定しないという問題があった。
【００１１】
また、これらの前面用アングル材９６および後面用アングル材９７を用いた接続は、溶接や接着剤等による固定であったため、固定強度が個々にばらつき易いという問題が生じていた。
【００１２】
さらに、接着剤による接着固定を行う場合には、接着剤が乾くまで時間がかかるため、その間、例えばクランプ等を用いて天板９３と前面用側板９４との接続姿勢、および天板９３と後面用側板９５との接続姿勢を一定に保持しなければならず、作業に手間がかかるという問題も生じていた。
【００１３】
本発明の目的は、構造物躯体の突堤状部分の端縁部に覆い材を設置する際にその幅寸法を安定させることができる構造物躯体の覆い材を提供するところにある。
【００１４】
【課題を解決するための手段】
本発明は、端面覆い部材と第一側面覆い部材との接続を行うための部材、および端面覆い部材と第二側面覆い部材との接続を行うための部材を一体化して前記目的を達成しようとするものである。
【００１５】
具体的には、本発明は、構造物躯体の突堤状部分の端縁部を覆う構造物躯体の覆い材において、端縁部の端面に沿って配置される端面覆い部材と、端縁部の一方の側面に沿って配置される第一側面覆い部材と、端縁部の他方の側面に沿って配置される第二側面覆い部材と、端面覆い部材と第一側面覆い部材とを接続しかつ端面覆い部材と第二側面覆い部材とを接続する接続部材とを備えたことを特徴とするものである。
【００１６】
ここで、構造物躯体の突堤状部分とは、バルコニやベランダの腰壁、集合住宅の屋外に設けられる通路（例えば、二階の各玄関の入口間を連絡する通路）のサイドの壁、集合住宅の屋外に設けられる階段のサイドの壁、屋内に設けられる階段のサイドの壁、建物の屋上のパラペット等の建物躯体の突堤状部分の他、横断歩道橋のサイドの壁、行楽地の展望台周囲の腰壁、公園内の花壇や噴水等の仕切壁、駅のプラットホームの端部の柵壁、動物園内の動物を囲う柵壁、立体交差の上側道路のサイドの腰壁、高速道路のサイドの防音壁等、各種の構造物躯体の突堤状部分を含むものであり、また、船舶の甲板周囲の柵壁等の移動可能な構造物躯体の突堤状部分も含むものである。
【００１７】
また、「端縁部の端面に沿って配置される端面覆い部材」とは、必ずしも端面覆い部材と端縁部の端面とが、平行に配置される場合に限定されるものではなく、例えば、端面覆い部材に水勾配を付けるために、端面覆い部材を端縁部の端面に対して角度をなして配置してもよく、要するに、端面覆い部材が、端縁部の端面の少なくとも一部を覆うように配置されていればよい趣旨である。第一側面覆い部材と端縁部の一方の側面との配置関係、および第二側面覆い部材と端縁部の他方の側面との配置関係も同様である。
【００１８】
さらに、端縁部の端面と端縁部の一方の側面とがなす角度、および端縁部の端面と端縁部の他方の側面とがなす角度は、通常は、それぞれ直角であるが、これらの角度は、直角に限定されるものではない。そして、端面覆い部材と第一側面覆い部材とがなす角度、および端面覆い部材と第二側面覆い部材とがなす角度も、それぞれ直角に限定されるものではなく、例えば、前述したように端面覆い部材に水勾配を付けるような場合には、直角でなくてもよい。
【００１９】
また、端面覆い部材、第一側面覆い部材、第二側面覆い部材、および接続部材の各材質は、アルミ合金やステンレス等の金属、合成樹脂、木材、セラミック等、それぞれ任意であるが、屋外に設ける場合には、防錆性、耐食性を有する材料を用いることが好ましい。
【００２０】
このような本発明においては、端面覆い部材と第一側面覆い部材との接続、および端面覆い部材と第二側面覆い部材との接続が、前述した図８の従来の分割タイプの躯体笠木９０の場合のように別々の部材である前面用アングル材９６および後面用アングル材９７により行われるのではなく、一体化された接続部材により行われる。つまり、端面覆い部材と第一側面覆い部材との接続箇所から、端面覆い部材と第二側面覆い部材との接続箇所にまで至る大きさを有する接続部材を用いることにより、各部材の接続が行われる。
【００２１】
このため、構造物躯体の突堤状部分の端縁部に覆い材を設置するにあたって、第一側面覆い部材と第二側面覆い部材との間の相対的姿勢や相対的位置関係を容易に所定の状態にすることができるようになり、これらの第一側面覆い部材と第二側面覆い部材との間の間隔を容易に所望の間隔に設定することが可能となるため、覆い材の幅寸法を所定の寸法とすることができるようになる。従って、覆い材を設置する際にその幅寸法が安定しないという従来の不都合は解消され、これにより前記目的が達成される。
【００２２】
また、本発明は、構造物躯体の突堤状部分の端縁部が、直線的な場合であっても、湾曲している場合であっても、適用することができるが、特に、湾曲している場合に適用すればより効果的である。すなわち、前述した構造物躯体の覆い材において、構造物躯体の突堤状部分の端縁部は、その長手方向について湾曲し、端面覆い部材と第一側面覆い部材と第二側面覆い部材とは、それぞれ端縁部の湾曲形状に従って湾曲していることが好ましい。
【００２３】
ここで、「端縁部は、その長手方向について湾曲し」とあるのは、構造物躯体の突堤状部分の全体が湾曲していてもよいが、これに限定されるものではなく、少なくとも端縁部が湾曲していればよい趣旨である。
【００２４】
このように湾曲した端縁部に覆い材を設ける場合には、覆い材を端縁部の湾曲形状に従って湾曲させなければならないが、湾曲した覆い材を一体成形品として製造することは困難であるので、必然的に分割タイプとすることが有効になるため、分割タイプの覆い材を対象とした本発明に好適なものとなる。つまり、直線的な端縁部に覆い材を設ける場合には、わざわざ分割タイプの覆い材を使用せずに、一体成形品として製造された覆い材を使用することが可能となるので、一体成形品とすれば、そもそも覆い材の幅寸法の不安定化の問題は発生しないため、本発明の対象である分割タイプの覆い材を使用する場合における各効果を期待する必要もなくなるからである。但し、直線的な端縁部に覆い材を設ける場合であっても、覆い材の幅寸法が大きい場合等、覆い材を一体成形品として製造することが困難な場合には、分割タイプの覆い材を用いることが必要になってくることもあるため、分割タイプの覆い材を対象とする本発明の適用が有効となる。
【００２５】
また、本発明では、端面覆い部材、第一側面覆い部材、第二側面覆い部材、接続部材の各部材間の固定手段は、溶接、溶着、接着剤による接着、ビス、リベット、釘、ボルト・ナット、ピン、あるいはこれらの組み合わせ、さらには部材の弾性を利用したり、さねほぞ構造とする等による嵌合のみの固定など、任意であるが、特に、次のようにすることが好ましい。すなわち、前述した構造物躯体の覆い材において、少なくとも接続部材と第一側面覆い部材との固定および接続部材と第二側面覆い部材との固定は、連結用止着具を用いて行われていることが好ましい。
【００２６】
ここで、連結用止着具とは、固体により形成された用具をいい、例えば、ビス、リベット、釘、ボルト・ナット、ピン等の力学的作用により各部材を固定できる用具をいう。従って、溶接や接着剤等のような湿式のものや流動性のあるものを含まない趣旨である。
【００２７】
このような連結用止着具による固定を行った場合には、各接続箇所における固定強度のばらつきを抑えることが可能となり、また、接着剤による接着固定を行う場合のような作業の手間、すなわち接着剤が乾くまで各部材間の接続姿勢を一定に保持しなければならないという作業の手間も解消される。
【００２８】
さらに、本発明は、手摺りがある場合でも無い場合でも適用することができるが、特に、構造物躯体の突堤状部分の端縁部に手摺りが取り付けられる構成の場合に好適である。手摺りが取り付けられる構成の場合には、構造物躯体の突堤状部分の端縁部に覆い材の設置が必要とされることが多いからである。
【００２９】
【発明の実施の形態】
以下に本発明の一実施形態を図面に基づいて説明する。図１には、本実施形態の構造物躯体の覆い材である躯体笠木１０を含む集合住宅等のバルコニ１の全体構成が斜視図で示されている。また、図２〜図５には、躯体笠木１０およびその周辺部分の詳細構造が示されている。
【００３０】
図１において、バルコニ１は、建物から張り出して設けられる建物躯体（構造物躯体）であり、その周囲には、構造物躯体の突堤状部分である腰壁２が形成されている。この腰壁２の左右のコーナー部分２Ａは、曲率半径Ｒの湾曲形状を有する、いわゆるＲ付きの構造となっている。
【００３１】
また、腰壁２の上側の端縁部３には、この端縁部３を覆うように防水用の躯体笠木１０，２０が設けられている。躯体笠木１０は、腰壁２のコーナー部分２Ａの端縁部３に設けられ、一方、躯体笠木２０は、腰壁２のコーナー部分２Ａ以外の直線的形状部分の端縁部３に設けられるものである。さらに、これらの躯体笠木１０，２０の上側には、歩行補助や落下防止等を目的とした手摺り３０が設けられている。
【００３２】
図２には、躯体笠木１０の断面図が示され、図３には、躯体笠木１０の分解斜視図が示され、図４には、躯体笠木１０を上方から見た状態の平面図が示されている。また、図５には、手摺り３０の取付構造の詳細が示されている。
【００３３】
図２および図３において、躯体笠木１０は、下向きの略コの字断面形状を有し、腰壁２の端縁部３の上面（端面）３Ａに沿って配置される端面覆い部材である天板１１と、端縁部３の前面（建物と反対側の面であり、図２中の左側の側面）３Ｂに沿って配置される第一側面覆い部材である前面用側板１２と、端縁部３の後面（建物側の面であり、図２中の右側の側面）３Ｃに沿って配置される第二側面覆い部材である後面用側板１３とを備えた三分割タイプのものである。これらの天板１１、前面用側板１２、および後面用側板１３は、ステンレスやアルミ合金等により形成され、それぞれ腰壁２のコーナー部分２Ａの端縁部３の湾曲形状に従って湾曲している。すなわち、天板１１は、一平面内に収まる平板状のものであるが、その平面形状は扇状であり、また、前面用側板１２および後面用側板１３は、一平面内に収まらない曲板状のものである。
【００３４】
天板１１、前面用側板１２、および後面用側板１３の内側には、天板１１と前面用側板１２とを接続しかつ天板１１と後面用側板１３とを接続するための接続部材であるアングル材１４が配置されている。このアングル材１４は、腰壁２のコーナー部分２Ａの端縁部３の長手方向（周方向）につき適宜な間隔で複数個配置されている（図３、図４参照）。アングル材１４は、ステンレスやアルミ合金等により形成されている。なお、各アングル材１４の周方向の幅寸法Ｈ（図３参照）は、任意であり、各アングル材１４どうしで共通としてもよく、不統一としてもよい。
【００３５】
各アングル材１４は、下向きの略コの字断面形状を有し、天板１１に当接されて固定されるアングル中間部１４Ａと、前面用側板１２に当接されて固定されるアングル前面部１４Ｂと、後面用側板１３に当接されて固定されるアングル後面部１４Ｃとを備えている。アングル前面部１４Ｂおよびアングル後面部１４Ｃは、アングル中間部１４Ａに対してそれぞれ鈍角をなすように斜めに形成されている。そして、各アングル材１４の半径方向の幅寸法Ｓ（図３参照）は、腰壁２のコーナー部分２Ａの端縁部３の幅寸法Ｔ（図２参照）よりも大きくなっている。
【００３６】
前面用側板１２および後面用側板１３の上下方向各中間位置の内側には、アングル前面部１４Ｂおよびアングル後面部１４Ｃの各端縁部を係止する係止部１２Ａ，１３Ａが形成されている。また、前面用側板１２および後面用側板１３の各上部の内側には、傾斜部分を有する中空の突出部１２Ｂ，１３Ｂが形成されている。これらの突出部１２Ｂ，１３Ｂの斜面１２Ｃ，１３Ｃには、アングル前面部１４Ｂ、アングル後面部１４Ｃが当接され、突出部１２Ｂ，１３Ｂの上面１２Ｄ，１３Ｄには、天板１１の両側端縁部が当接されるようになっている。また、突出部１２Ｂ，１３Ｂの上面１２Ｄ，１３Ｄとアングル中間部１４Ａの上面とは、面一になるようになっている。
【００３７】
さらに、アングル前面部１４Ｂおよびアングル後面部１４Ｃには、連結用止着具であるビス１５を通す貫通孔１４Ｄ，１４Ｅが設けられ、また、前面用側板１２の突出部１２Ｂの傾斜部分および後面用側板１３の突出部１３Ｂの傾斜部分にも、ビス１５を通す貫通孔１２Ｅ，１３Ｅが設けられている。そして、各アングル材１４と前面用側板１２との固定は、貫通孔１４Ｄ，１２Ｅを通されたビス１５のねじ込みによって行われ、一方、各アングル材１４と後面用側板１３との固定は、貫通孔１４Ｅ，１３Ｅを通されたビス１５のねじ込みによって行われるようになっている。
【００３８】
天板１１は、腰壁２の端縁部３の上面３Ａに対して平行に配置されるものではなく、図２中左側から右側に向かって、すなわち建物側に向かって流れる水勾配を有しており、これに伴ってアングル中間部１４Ａも、図２中左側から右側に向かって下がる傾斜を有している。また、天板１１の上側には、手摺り３０が取り付けられるようになっている。
【００３９】
図１に示すように、手摺り３０は、腰壁２の端縁部３に沿って配置される円形断面を有する手摺り笠木３１と、この手摺り笠木３１を支持するために適宜な間隔で配置された複数本の支柱３２とを備えて構成されている。これらの手摺り笠木３１および各支柱３２は、アルミ合金等による押出成形品である。
【００４０】
図４および図５において、腰壁２の端縁部３の上面３Ａには、手摺り３０の支柱３２を固定するとともに躯体笠木１０を支持するブラケット３３が、適宜な間隔で設けられている。なお、図５では、躯体笠木１０を構成するアングル材１４の一部（アングル中間部１４Ａ）が、破断された状態で示されている。
【００４１】
ブラケット３３の上面には、ベース部材３４が載せられ、このベース部材３４には、中空の支柱３２の内部に挿入される中子３５が立設固定されている。そして、腰壁２の端縁部３の内部には、予めアンカー部材３６が埋設され、ブラケット３３およびベース部材３４は、このアンカー部材３６にビス３７をねじ込むことにより、腰壁２の端縁部３に共締め結合されている。これによりベース部材３４に立設固定されている中子３５は、ブラケット３３およびベース部材３４を介して腰壁２の端縁部３に結合されるようになっている。また、天板１１には、中子３５を挿通するための貫通孔が形成されている。
【００４２】
一方、支柱３２は、ピース部材３８を介して天板１１の上面に固定されている。ピース部材３８は、天板１１の水勾配に対応してその厚みが図５中の左右で異なるものとなっており、これにより支柱３２は、天板１１の水勾配とは無関係に鉛直方向に起立するようになっている。なお、このような傾斜厚みを有するピース部材３８を用いることにより、支柱３２の下端を斜めに切断する必要がなくなるが、これは、本願出願人により既に提案されているものである（特開平１０−２５２２３７号公報参照）。
【００４３】
そして、支柱３２と中子３５との上端部分どうしは、架設部材３９により連結されており、この架設部材３９と中子３５とを結合するためのビス４０を強く締め込むと、ビス４０の引き上げ作用により中子３５は上方に引っ張られ、中子３５に予圧引張力が付与されるようになっている。
【００４４】
ブラケット３３の図５中の左右には、躯体笠木１０を支持する躯体笠木支持部３３Ａ，３３Ｂが形成されている。そして、左右の躯体笠木支持部３３Ａ，３３Ｂの上部により天板１１が持ち上げ支持され、左側の躯体笠木支持部３３Ａの下部により前面用側板１２が係止され、右側の躯体笠木支持部３３Ｂの下部により後面用側板１３が係止され、これらにより躯体笠木１０の全体が、腰壁２の端縁部３を覆う状態で配置されて支持されるようになっている。
【００４５】
図１に示すように、躯体笠木２０は、腰壁２の直線的形状部分の端縁部３に設けられるものであるため、湾曲したコーナー部分２Ａの端縁部３に設けられる躯体笠木１０のような三分割タイプのものではなく、ステンレスやアルミ合金等を用いた一体成形品である。なお、躯体笠木２０は、躯体笠木１０と同様に三分割タイプのものとし、アングル材１４で接続されて組み立てられるものとしてもよい。
【００４６】
このような本実施形態においては、以下のようにして躯体笠木１０を組み立てて形成し、腰壁２の端縁部３に設置する。
【００４７】
先ず、図２に示すように、ビス１５のねじ込みにより、各アングル材１４と前面用側板１２とを固定し、かつ、各アングル材１４と後面用側板１３とを固定する。
【００４８】
次に、各アングル材１４のアングル中間部１４Ａの上面、前面用側板１２の突出部１２Ｂの上面１２Ｄ、および後面用側板１３の突出部１３Ｂの上面１３Ｄのそれぞれに接着剤を塗布した後、これらの各面に天板１１を載せて接着し、接着剤が乾くのを待って躯体笠木１０の組み立てを完了する。なお、アングル中間部１４Ａの上面への接着剤の塗布は、省略してもよい。
【００４９】
その後、図５に示すように、組み立てを完了した躯体笠木１０を、腰壁２の端縁部３に適宜な間隔で固定配置されているブラケット３３にはめ込み、躯体笠木１０の設置を終了する。
【００５０】
このような本実施形態によれば、次のような効果がある。すなわち、天板１１と前面用側板１２との接続、および天板１１と後面用側板１３との接続が、前述した図８の従来の分割タイプの躯体笠木９０の場合のように別々の部材である前面用アングル材９６および後面用アングル材９７により行われるのではなく、一体化されたアングル材１４により行われるので、躯体笠木１０の幅寸法Ｗ（図２参照）を安定させることができる。
【００５１】
つまり、天板１１と前面用側板１２との接続箇所から、天板１１と後面用側板１３との接続箇所までに至る大きさを有するアングル材１４を用いて各部材の接続を行うので、このアングル材１４により前面用側板１２と後面用側板１３との間の相対的姿勢や相対的位置関係を規定することができ、前面用側板１２と後面用側板１３との間隔を容易に所望の間隔に設定することができる。
【００５２】
また、躯体笠木１０は、腰壁２の湾曲したコーナー部分２Ａの端縁部３に設けられるものであるため、上述した一体化されたアングル材１４を用いての各部材の接続による躯体笠木１０の幅寸法Ｗの安定化効果を十分に発揮することができる。なぜなら、湾曲した形状の躯体笠木を、押出成形等による一体成形品として製造することは困難であるため、コーナー部分２Ａの端縁部３のような湾曲した部分は、本来的に、そこに設けられる躯体笠木の幅寸法を安定化させることが困難な場所だからである。
【００５３】
さらに、各アングル材１４と前面用側板１２との固定、および各アングル材１４と後面用側板１３との固定は、ビス１５のねじ込みにより行われているので、各接続箇所における固定強度のばらつきを抑えることができるうえ、接着剤による接着固定を行う場合のような作業の手間、すなわち接着剤が乾くまで各部材間の接続姿勢を一定に保持しなければならないという作業の手間を解消することができる。なお、天板１１の固定は、接着剤を用いて行われているが、前面用側板１２、後面用側板１３、および各アングル材１４どうしの間の接続姿勢が、ビス１５のねじ込みにより固定された後の作業であるため、作業の手間がかかるという問題を生じることはない。
【００５４】
なお、本発明は前記実施形態に限定されるものではなく、本発明の目的を達成できる範囲内での変形等は本発明に含まれるものである。
【００５５】
すなわち、前記実施形態では、躯体笠木１０は、腰壁２の湾曲したコーナー部分２Ａの端縁部３に設けられるものとなっていたが、本発明の覆い材としての躯体笠木は、湾曲したコーナー部分２Ａに限らず、例えば、図６のバルコニ５０の如く、意匠的効果を持たせるために全体的に湾曲させた腰壁５１の端縁部に設ける躯体笠木５２としてもよい。また、本発明の覆い材としての躯体笠木は、湾曲した部分に設けられるものに限定されるものでもなく、例えば、前記実施形態における腰壁２の直線的形状部分に設けられる躯体笠木２０として、本発明の覆い材としての躯体笠木を用いるようにしてもよい。
【００５６】
また、前記実施形態では、各アングル材１４と前面用側板１２との固定、および各アングル材１４と後面用側板１３との固定は、ビス１５のねじ込みにより行われていたが、これらの固定は、接着剤や溶接等、湿式のものや流動性のあるものにより行ってもよい。しかし、ビス１５等の連結用止着具による固定とすることが好ましく、そうすることで固定強度のばらつきを抑えることができ、また、作業の手間を軽減することができる。そして、前記実施形態では、天板１１の固定は、接着剤を用いて行われていたが、ビス等の連結用止着具を用いて行うようにしてもよい。
【００５７】
さらに、前記実施形態では、躯体笠木１０は、天板１１、前面用側板１２、および後面用側板１３を備えてなる三分割タイプのものとされていたが、本発明の覆い材は、このような三分割タイプのものに限定されるものではなく、例えば、図７の覆い材６０の如く、複数の端面覆い部材６１Ａ，６１Ｂ，６１Ｃと、第一側面覆い部材６２と、第二側面覆い部材６３とを備えてなる四分割以上に分割されたタイプのものとしてもよく、要するに、接続部材６４が、左端に配置された端面覆い部材６１Ａと第一側面覆い部材６２との接続箇所から、右端に配置された端面覆い部材６１Ｃと第二側面覆い部材６３との接続箇所にまで至る大きさを有していればよい。なお、この覆い材６０の場合には、接続部材６４は、左端に配置された端面覆い部材６１Ａと第一側面覆い部材６２との接続、および右端に配置された端面覆い部材６１Ｃと第二側面覆い部材６３との接続のみならず、各端面覆い部材６１Ａ，６１Ｂ，６１Ｃどうしの接続をも行う役割を果たしている。
【００５８】
【発明の効果】
以上に述べたように本発明によれば、端面覆い部材と第一側面覆い部材との接続を行うための部材、および端面覆い部材と第二側面覆い部材との接続を行うための部材を、接続部材として一体化したので、構造物躯体の突堤状部分の端縁部に覆い材を設置する際に、覆い材の幅寸法を安定させることができるという効果がある。
【図面の簡単な説明】
【図１】本発明の一実施形態の構造物躯体の覆い材である躯体笠木を含む集合住宅等のバルコニの全体構成を示す斜視図。
【図２】前記実施形態の躯体笠木の断面図。
【図３】前記実施形態の躯体笠木の分解斜視図。
【図４】前記実施形態の躯体笠木を上方から見た状態の平面図。
【図５】前記実施形態の手摺りの取付構造を示す断面図。
【図６】本発明の変形の形態を示す斜視図。
【図７】本発明の別の変形の形態を示す断面図。
【図８】従来の分割タイプの躯体笠木の断面図。
【符号の説明】
１，５０  構造物躯体であるバルコニ
２，５１  構造物躯体の突堤状部分である腰壁
３  端縁部
１０，５２  覆い材である躯体笠木
１１  端面覆い部材である天板
１２  第一側面覆い部材である前面用側板
１３  第二側面覆い部材である後面用側板
１４  接続部材であるアングル材
１５  連結用止着具であるビス
３０  手摺り
６０  覆い材
６１Ａ，６１Ｂ，６１Ｃ  端面覆い部材
６２  第一側面覆い部材
６３  第二側面覆い部材
６４  接続部材
【図１】
0003717695.tif 000002
【図２】
0003717695.tif 000003
【図３】
0003717695.tif 000004
【図４】
0003717695.tif 000005
【図５】
0003717695.tif 000006
【図６】
0003717695.tif 000007
【図７】
0003717695.tif 000008
【図８】
0003717695.tif 000009